(57)【要約】      （修正有）【課題】床面だけでなく、壁面も保護することができ、設置自在性、汎用性、機能性に優れると共に、猫が興味を示して近づき易く、積極的な利用を促すことができ、使用性、有効性、実用性に優れる猫用爪研ぎ器を提供する。【解決手段】床面又は壁面に当接する２つの当接部２ａ，２ｂを有する本体部２と、２つの当接部の間で本体部の表面に形成された爪研ぎ部５とを有し、爪研ぎ部が、段ボールを積層した積層体で形成され、爪研ぎ部の表面に段ボールを紙幅方向と交差する面で切断した切断面が露出している。【選択図】図１
0003173403.tif 000002
【実用新案登録請求の範囲】
【請求項１】
床面又は壁面に当接する２つの当接部を有する本体部と、前記２つの当接部の間で前記本体部の表面に形成された爪研ぎ部と、を有し、前記爪研ぎ部が、段ボールを積層した積層体で形成され、前記爪研ぎ部の表面に前記段ボールを紙幅方向と交差する面で切断した切断面が露出していることを特徴とする猫用爪研ぎ器。
【請求項２】
前記本体部の前記２つの当接部の内、一方の当接部を床面に当接させ、他方の当接部を壁面に当接させて前記本体部を立設させた時に、前記爪研ぎ部の前記積層体の積層方向が鉛直方向であることを特徴とする請求項１に記載の猫用爪研ぎ器。
【請求項３】
前記本体部が、段ボール、厚紙、合成紙、合成樹脂、木のいずれか１以上を積層して形成されていることを特徴とする請求項１又は２に記載の猫用爪研ぎ器。
【請求項４】
前記本体部の裏面側に形成された切り欠き部を備えたことを特徴とする請求項１乃至３の内いずれか１項に記載の猫用爪研ぎ器。
【請求項５】
前記本体部に形成され少なくとも一端が外部に開口した空洞部を備えたことを特徴とする請求項１乃至４の内いずれか１項に記載の猫用爪研ぎ器。
【考案の詳細な説明】
【技術分野】
【０００１】
本考案は、猫が爪を研ぐときに使用する猫用爪研ぎ器に関するものである。
【背景技術】
【０００２】
一般に、猫は爪を研ぐ習性があり、そのために、家の柱、壁、床、家具、敷物等を引っかいて傷付けることがある。
従来、これを避けるため、段ボール紙を積層して形成された猫の爪研ぎ器が利用されている。
例えば、（特許文献１）には、「段ボール紙を積層接着して形成された猫の爪研ぎ器において、その積層断面に合成樹脂を含浸したことを特徴とする猫の爪研ぎ器。」が開示されている。
また、（特許文献２）には、「多数の段ボールを貼り合わせた研磨体を外箱に収納し、この外箱に開放に伴い研磨体が露出する蓋を設けた猫の爪研ぎ器において、前記研磨体に抗菌処理を施したことを特徴とする猫の爪研ぎ器。」
【先行技術文献】
【特許文献】
【０００３】
【特許文献１】特開平９−３０８４０４号公報
【特許文献２】特開平１１−１８６０９号公報
【考案の概要】
【考案が解決しようとする課題】
【０００４】
（１）（特許文献１）では、積層断面に合成樹脂を含浸することにより、猫の爪研ぎ器から発生する紙粉を抑え、爪を引っかける穴部が簡単につまらないように工夫し、（特許文献２）では、研磨体に抗菌処理を施し、研磨体での菌の繁殖を抑制しているが、いずれも表面が平坦な箱形に形成されており、床面に載置して使用するものであるため、柱や壁などを保護することができず、汎用性、機能性に欠けるという課題を有していた。
（２）（特許文献１）、（特許文献２）は共に、環境面や衛生面のみに着目したものであり、猫の習性などが考慮されておらず、猫が積極的に利用し易い形状や構造ではなく、使用性、有効性に欠けるという課題を有していた。
【課題を解決するための手段】
【０００５】
本考案は上記課題を解決するもので、床面だけでなく、壁面も保護することができ、設置自在性、汎用性、機能性に優れると共に、猫が興味を示して近づき易く、積極的な利用を促すことができ、使用性、有効性、実用性に優れる猫用爪研ぎ器の提供を目的とする。
【０００６】
本考案の請求項１に記載の猫用爪研ぎ器は、床面又は壁面に当接する２つの当接部を有する本体部と、前記２つの当接部の間で前記本体部の表面に形成された爪研ぎ部と、を有し、前記爪研ぎ部が、段ボールを積層した積層体で形成され、前記爪研ぎ部の表面に前記段ボールを紙幅方向と交差する面で切断した切断面が露出している構成を有している。
この構成により、以下のような作用を有する。
（１）床面又は壁面に当接する２つの当接部を有する本体部と、２つの当接部の間で本体部の表面に形成された爪研ぎ部を有するので、床面に横置きするだけでなく、壁面などに立てかけるようにして設置することもでき、床や壁などの保護に効果的に利用することができ、設置自在性、汎用性に優れる。
（２）爪研ぎ部の表面に段ボールを紙幅方向と交差する面で切断した切断面（段ボールの中芯と交差する面）が露出しているので、段ボールの中芯の波目を有効に利用して確実かつ効果的に爪研ぎを行うことができ、使用性に優れる。
【０００７】
ここで、本体部の材質としては、紙、木、合成樹脂などから適宜、選択することができる。
また、本体部及び当接部の形状や大きさは適宜、選択することができる。尚、一方の当接部を床面に当接させ、他方の当接部を壁面に当接させて本体部を立設させる際に、本体部を壁面に立てかけるようにすることにより、本体部の転倒を防ぐことができ、設置安定性に優れる。
本体部を段ボールで形成する場合は、本体部と爪研ぎ部を別々に形成してもよいし、初めから一体に形成してもよい。
本体部と爪研ぎ部を別々に形成する場合、爪研ぎ部は、本体部の表面に形成した凹部などに、所定の長さと幅に形成された段ボールの平板部間を積層した積層体を嵌合するなどして形成するものが好適に用いられる。積層体を着脱自在に形成した場合、爪研ぎ部が消耗しても、本体部を買い替えることなく、消耗した爪研ぎ部（積層体）のみを交換して容易に新たな爪研ぎ部を形成することができ、省資源性、生産性に優れる。尚、本体部や爪研ぎ部の表面は平面状（平坦状）に形成してもよいが、傾斜状や曲線状に形成してもよい。本体部を床面に横置きした際に、本体部や爪研ぎ部の上に猫が横たわり易くすることにより、利用性を高めることができる。
段ボールの波に対して平行な辺の長さを紙幅といい、段ボールの波に対して垂直な辺の長さを流れという。段ボールを紙幅方向と交差する面で切断することにより、切断面に段ボールの中芯の波目が現れるので、その切断面（波目）を爪研ぎ部の表面に露出させて、爪研ぎが確実に行われるようにする。段ボールを切断する角度（段ボールの紙幅方向と切断面が交差する角度）は、適宜、選択することができるが、特に９０度の場合は波目が均一で密になるため、爪研ぎの効率性、耐摩耗性に優れ、好ましい。
尚、爪研ぎ部の積層体の積層方向は適宜、選択することができる。
【０００８】
請求項２に記載の考案は、請求項１に記載の猫用爪研ぎ器であって、前記本体部の前記２つの当接部の内、一方の当接部を床面に当接させ、他方の当接部を壁面に当接させて前記本体部を立設させた時に、前記爪研ぎ部の前記積層体の積層方向が鉛直方向である構成を有している。
この構成により、請求項１の作用に加え、以下のような作用を有する。
（１）本体部の２つの当接部の内、一方の当接部を床面に当接させ、他方の当接部を壁面に当接させて本体部を立設させた時に、爪研ぎ部の積層体の積層方向が鉛直方向であることにより、目方向が横向きになり、抵抗が増加するため、猫が爪研ぎしても丈夫で消耗し難く、効果的に爪を研ぐことができ、耐久性、省資源性に優れる。
【０００９】
ここで、爪研ぎ部の積層体を形成する段ボールを鉛直方向に積層することにより、積層体の目方向（中芯の波目の方向）が横向き（水平）となり、猫が爪研ぎを行う縦方向と直交するので、積層体が損耗し難くなる。
【００１０】
請求項３に記載の考案は、請求項１又は２に記載の猫用爪研ぎ器であって、前記本体部が、段ボール、厚紙、合成紙、合成樹脂、木のいずれか１以上を積層して形成されている構成を有している。
この構成により、請求項１又は２の作用に加え、以下のような作用を有する。
（１）本体部が、段ボール、厚紙、合成紙、合成樹脂、木のいずれか１以上を積層して形成されていることにより、量産性に優れ、廃棄処理が容易で、環境保護性に優れる。特に、段ボール、厚紙、合成紙などを用いた場合は、全体を軽量化することができ、持ち運びも容易で取扱い性に優れる。
【００１１】
ここで、本体部の積層方向は適宜、選択することができるが、爪研ぎ部の積層体の積層方向と直交方向に積層することにより、全体の剛性を高めることができ、変形や破損などが発生し難く、形状安定性、耐久性に優れる。
【００１２】
請求項４に記載の考案は、請求項１乃至３の内いずれか１項に記載の猫用爪研ぎ器であって、前記本体部の裏面側に形成された切り欠き部を備えたことを特徴とする構成を有している。
この構成により、請求項１乃至３の内いずれか１項の作用に加え、以下のような作用を有する。
（１）本体部の裏面側に形成された切り欠き部を有するので、本体部を床面に横置きすることにより、切り欠き部と床面で囲まれた空間を形成して猫を呼び寄せることができ、爪研ぎをしない時でも猫が居着き易く、使用頻度を高めて、壁や床などで爪研ぎを行うことを効果的に防ぐことができ、機能性、有効利用性に優れる。
（２）本体部の裏面側に切り欠き部が形成されているので、手を差し入れて簡単に本体部の持ち運びや移動を行うことができ、取扱い性に優れる。
【００１３】
ここで、切り欠き部の形状、大きさ、配置などは適宜、選択することができる。猫は狭い場所を好むため、猫の体格に応じて切り欠き部の形状や大きさを選択することにより、猫の興味を惹き易くして、利用頻度を高めることができる。
【００１４】
請求項５に記載の考案は、請求項１乃至４の内いずれか１項に記載の猫用爪研ぎ器であって、前記本体部に形成され少なくとも一端が外部に開口した空洞部を備えたことを特徴とする構成を有している。
この構成により、請求項１乃至４の内いずれか１項の作用に加え、以下のような作用を有する。
（１）本体部に形成され少なくとも一端が外部に開口した空洞部を有することにより、空洞部にカイロ、湯たんぽ、ヒータなどを入れて本体部を温めることができ、爪研ぎをしない時でも猫を惹きつけ易く、使用性、機能性に優れる。
（２）空洞部の少なくとも一端が外部に開口していることにより、カイロ、湯たんぽ、ヒータなどの出し入れが容易で、使用性に優れる。
【００１５】
ここで、空洞部の大きさは、収容するカイロ、湯たんぽ、ヒータなどの大きさに応じて、適宜、選択することができる。尚、空洞部には蓋を設けて、使用時に猫がいたずらをしないようにすることが好ましい。
【考案の効果】
【００１６】
本考案の猫用爪研ぎ器によれば、以下のような効果が得られる。
請求項１に記載の考案によれば、以下のような効果を有する。
（１）床面に横置きするだけでなく、壁面などに立てかけるようにして設置することもでき、床や壁などの保護に効果的に利用することができる設置自在性、汎用性に優れた猫用爪研ぎ器を提供することができる。
【００１７】
請求項２に記載の考案によれば、請求項１の効果に加え、以下のような効果を有する。
（１）目方向が横向きになるように設置して、爪研ぎ部の抵抗を増加させることにより、猫が爪研ぎしても丈夫で消耗し難く、効果的に爪を研ぐことができる耐久性、省資源性に優れた猫用爪研ぎ器を提供することができる。
【００１８】
請求項３に記載の考案によれば、請求項１又は２の効果に加え、以下のような効果を有する。
（１）軽量で量産性に優れ、持ち運びも容易で取扱い性に優れると共に、廃棄処理が容易で、環境保護性に優れた猫用爪研ぎ器を提供することができる。
【００１９】
請求項４に記載の考案によれば、請求項１乃至３の内いずれか１項の効果に加え、以下のような効果を有する。
（１）本体部を床面に横置きすることにより、切り欠き部と床面で囲まれた空間に猫を呼び寄せることができ、爪研ぎをしない時でも猫が居着き易く、使用頻度を高めて、壁や床などで爪研ぎを行うことを効果的に防ぐことができる機能性、有効利用性に優れた猫用爪研ぎ器を提供することができる。
【００２０】
請求項５に記載の考案によれば、請求項１乃至４の内いずれか１項の効果に加え、以下のような効果を有する。
（１）空洞部にカイロ、湯たんぽ、ヒータなどを入れて本体部を温めることができ、爪研ぎをしない時でも猫を惹きつけ易く、使用性、機能性に優れた猫用爪研ぎ器を提供することができる。
【図面の簡単な説明】
【００２１】
【図１】実施の形態１の猫用爪研ぎ器を示す斜視図
【図２】実施の形態１の猫用爪研ぎ器の表面を示す平面図
【図３】（ａ）実施の形態１の猫用爪研ぎ器の第１の使用状態を示す側面図（ｂ）実施の形態１の猫用爪研ぎ器の第２の使用状態を示す側面図
【考案を実施するための形態】
【００２２】
（実施の形態１）
本考案の実施の形態１における猫用爪研ぎ器について、以下、図面を用いて説明する。
図１は実施の形態１の猫用爪研ぎ器を示す斜視図であり、図２は実施の形態１の猫用爪研ぎ器の表面を示す平面図である。
図１中、１は実施の形態１における猫用爪研ぎ器、２は段ボールを積層して形成された猫用爪研ぎ器１の本体部、２ａ，２ｂは本体部２の長手方向の両端部に形成され床面又は壁面に当接する２つの当接部、２ｃは本体部２の表面に形成され後述する爪研ぎ部５が配設される凹部、３ａ，３ｂは２つの当接部２ａ，２ｂの間で本体部２の裏面側に形成された２つの切り欠き部、４は本体部２の長手方向中央部に形成され外部に開口した空洞部、５は段ボールを積層した積層体で形成され表面に段ボールを紙幅方向と直交する面で切断した切断面が露出するように本体部２の凹部２ｃに嵌合された爪研ぎ部である。
【００２３】
図２に示すように、猫用爪研ぎ器１の表面を正面から見ると、本体部２の段ボールの積層方向と爪研ぎ部５の段ボールの積層方向は直交している。これにより、猫用爪研ぎ器１全体の剛性を高めることができ、変形や破損などが発生し難く、形状安定性、耐久性に優れる。
また、爪研ぎ部５の表面に段ボールを紙幅方向と直交する面で切断した切断面が露出していることにより、段ボールの中芯の波目が均一かつ密に整列するので、確実かつ効率的に爪研ぎを行うことができる。尚、本実施の形態では、段ボールを紙幅方向と直交する面で切断した切断面が爪研ぎ部５の表面に露出するように積層体を形成したが、爪研ぎ部５の表面には段ボールの中芯の波目が露出していればよく、段ボールの紙幅方向と切断面がなす角度は、適宜、選択することができる。
また、本実施の形態では、本体部２を段ボールを積層して形成したが、厚紙や合成紙などを積層して形成してもよいし、これらを組合せて形成してもよい。また、本体部２の全体或いは外周や外枠などの一部を木や合成樹脂などで形成してもよい。剛性を高め、耐久性を向上させることができるためである。
【００２４】
以上のように構成された本考案の実施の形態１の猫用爪研ぎ器の使用方法について説明する。
図３（ａ）は実施の形態１の猫用爪研ぎ器の第１の使用状態を示す側面図であり、図３（ｂ）は実施の形態１の猫用爪研ぎ器の第２の使用状態を示す側面図である。
図３中、１０ａは猫用爪研ぎ器１を設置する床面（図３（ａ），（ｂ）），１０ｂは猫用爪研ぎ器１を立てかける壁面（図３（ａ））である。
図３（ａ）の第１の使用状態は、実施の形態１の猫用爪研ぎ器１を壁面１０ｂに立てかけるようにして設置した場合を示している。猫は後脚で立ち、前脚を上下方向に動かすことにより、爪研ぎ部５で爪を研ぐことができる。これにより、壁や柱、家具などが傷付くことを防止できる。
図３（ｂ）の第２の使用状態は、実施の形態１の猫用爪研ぎ器１を床面１０ａに横置きして設置した場合を示している。猫は当接部２ａ又は２ｂのいずれか一方の側に立ち、前脚を前後方向に動かすことにより、爪研ぎ部５で爪を研ぐことができる。これにより、床や絨毯、畳などが傷付くことを防止できる。
いずれの場合も、爪研ぎ部５の目方向が横方向であり、猫が脚を動かす方向と直交しているため、爪研ぎ部５が丈夫で消耗し難く、爪研ぎ時の抵抗を大きくして効果的に爪研ぎを行うことができる。
【００２５】
図３（ｂ）のように、実施の形態１の猫用爪研ぎ器１を床面１０ａに横置きして設置した場合、切り欠き部３ａ，３ｂと床面１０ａとの間に空間を形成することができる。また、空洞部４にはカイロ、湯たんぽ、ヒータなどを入れて本体部２を温めることができる。猫は狭い場所や温かい場所を好む習性があるため、爪研ぎをしない場合でも切り欠き部３ａ，３ｂと床面１０ａとの隙間（空間）に入り込んだり、本体部２の表面（爪研ぎ部５の上面）に横たわったりして、猫用爪研ぎ器１の周辺に居着き易くなり、利用頻度を高めることができる。
尚、切り欠き部３ａ，３ｂの形状や大きさは、猫の体格に応じて、適宜、選択することができる。また、空洞部４には蓋を設けることにより、猫が内部のカイロ、湯たんぽ、ヒータなどに触れないようにすることが好ましい。
本実施の形態では、本体部２と爪研ぎ部５を別々に形成したが、本体部２と爪研ぎ部５を一体に形成してもよい。尚、その場合は、少なくとも爪研ぎ部５の表面に段ボールの中芯の波目が現れるように段ボールを切断して積層する必要がある。
【００２６】
本考案の実施の形態１における猫用爪研ぎ器によれば、以下の作用を有する。
（１）床面又は壁面に当接する２つの当接部を有する本体部と、２つの当接部の間で本体部の表面に形成された爪研ぎ部を有するので、床面に横置きするだけでなく、壁面などに立てかけるようにして設置することもでき、床や壁などの保護に効果的に利用することができ、設置自在性、汎用性に優れる。
（２）爪研ぎ部が、段ボールを積層した積層体で形成されているので、爪研ぎ部が消耗しても、本体部を買い替えることなく、消耗した爪研ぎ部のみを交換して使用することができ、省資源性に優れる。
（３）爪研ぎ部の表面に段ボールを紙幅方向と交差する面で切断した切断面が露出しているので、段ボールの中芯の波目を有効に利用して確実かつ効果的に爪研ぎを行うことができ、使用性に優れる。
（４）本体部の２つの当接部の内、一方の当接部を床面に当接させ、他方の当接部を壁面に当接させて本体部を立設させた時に、爪研ぎ部の積層体の積層方向が鉛直方向であることにより、目方向が横向きになり、抵抗が増加するため、猫が爪研ぎしても丈夫で消耗し難く、効果的に爪を研ぐことができ、耐久性、省資源性に優れる。
（５）本体部が、段ボール、厚紙、合成紙のいずれか１以上を積層して形成されていることにより、量産性に優れ、全体を軽量化することができ、持ち運びも容易で取扱い性に優れると共に、廃棄処理が容易で、環境保護性に優れる。
（６）本体部の裏面側に形成された切り欠き部を有するので、本体部を床面に横置きすることにより、切り欠き部と床面で囲まれた空間を形成して猫を呼び寄せることができ、爪研ぎをしない時でも猫が居着き易く、使用頻度を高めて、壁や床などで爪研ぎを行うことを効果的に防ぐことができ、機能性、有効利用性に優れる。
（７）本体部の裏面側に切り欠き部が形成されているので、手を差し入れて簡単に本体部の持ち運びや移動を行うことができ、取扱い性に優れる。
（８）本体部に形成され少なくとも一端が外部に開口した空洞部を有することにより、空洞部にカイロ、湯たんぽ、ヒータなどを入れて本体部を温めることができ、爪研ぎをしない時でも猫を惹きつけ易く、使用性、機能性に優れる。
（９）空洞部の少なくとも一端が外部に開口していることにより、カイロ、湯たんぽ、ヒータなどの出し入れが容易で、使用性に優れる。
【産業上の利用可能性】
【００２７】
本考案は、床面だけでなく、壁面も保護することができ、設置自在性、汎用性、機能性に優れると共に、猫が興味を示して近づき易く、積極的な利用を促すことができ、使用性、有効性、実用性に優れる猫用爪研ぎ器の提供の提供を行うことができ、爪研ぎによる家の柱、壁、床、家具、敷物等の傷付きを効果的に防止することができる。
【符号の説明】
【００２８】
１  猫用爪研ぎ器
２  本体部
２ａ，２ｂ  当接部
２ｃ  凹部
３ａ，３ｂ  切り欠き部
４  空洞部
５  爪研ぎ部
１０ａ  床面
１０ｂ  壁面
【図１】
0003173403.tif 000003
【図２】
0003173403.tif 000004
【図３】
0003173403.tif 000005